(57)【要約】  デバイスは、シングルエンド通信信号を増幅するように構成される主低雑音増幅器(LNA)段と、主LNA段に結合されるとともに、主LNA段によって生成される非線形2次生成物を消去するように構成される補助LNA段と、主LNA段の出力および補助LNA段の出力を受けるように構成される負荷回路とを含み、負荷回路は、シングルエンド通信信号を差動信号に変換するように構成される。
2016540449.tif 000002
【特許請求の範囲】
【請求項１】
シングルエンド通信信号を増幅するように構成される主低雑音増幅器(LNA)段と、
前記主LNA段に結合される補助LNA段であって、前記主LNA段によって生成される非線形2次生成物を消去するように構成される補助LNA段と、
前記主LNA段の出力および前記補助LNA段の出力を受けるように構成される負荷回路であって、前記シングルエンド通信信号を差動信号に変換するように構成される負荷回路と
を備えるデバイス。
【請求項２】
前記主LNA段は、カスコードトランジスタ構成を備え、前記補助LNA段は、カスコードトランジスタ構成を備え、前記補助LNA段は、前記主LNA段の第1のトランジスタのドレインに結合されるゲートを有する第1のトランジスタを備える、請求項1に記載のデバイス。
【請求項３】
前記主LNA段の出力は、前記負荷回路の1次側の第1の部分に結合され、前記補助LNA段の出力は、前記負荷回路の前記1次側の第2の部分に結合される、請求項2に記載のデバイス。
【請求項４】
前記補助LNA段によって生成される信号が前記主LNA段によって生成される信号よりも小さくなるように、前記補助LNA段の第1のトランジスタおよび第2のトランジスタは、それぞれ、前記主LNA段の第1のトランジスタおよび第2のトランジスタよりも小さい、請求項3に記載のデバイス。
【請求項５】
前記補助LNA段は、前記補助LNA段によって生成される非線形生成物が前記主LNA段によって生成される非線形生成物よりも大きくなるように、非線形領域においてバイアスされる、請求項4に記載のデバイス。
【請求項６】
前記主LNA段の入力と出力との間に結合されるソースフォロワバッファおよびフィードバック抵抗をさらに備える、請求項5に記載のデバイス。
【請求項７】
前記補助LNA段は、キャリアアグリゲーション受信モードにおいて有効化される、請求項5に記載のデバイス。
【請求項８】
前記負荷回路および前記補助LNA段と関連した減衰器をさらに備え、前記減衰器は、前記補助LNA段の利得と前記主LNA段の利得とを、2次周波数において同等にするように構成される、請求項5に記載のデバイス。
【請求項９】
前記負荷回路の前記1次側の前記第1の部分は主インダクタンス部分を備え、前記負荷回路の前記1次側の前記第2の部分は補助インダクタンス部分を備え、前記主インダクタンス部分は前記補助インダクタンス部分のインダクタンスと異なるインダクタンスを有し、前記主インダクタンス部分と前記補助インダクタンス部分との間の前記インダクタンス差は、前記補助LNA段の利得と前記主LNA段の利得とを、2次周波数において同等にするように構成される、請求項5に記載のデバイス。
【請求項１０】
補助LNA段に結合される主LNA段を有する低雑音増幅器(LNA)においてシングルエンド通信信号を増幅するステップと、
前記補助LNA段において非線形2次生成物を生成するステップと、
前記主LNA段によって生成される非線形2次生成物を前記補助LNA段によって生成される前記非線形2次生成物を使用して消去するステップと、
前記シングルエンド通信信号を差動信号に変換するステップと
を備える方法。
【請求項１１】
前記主LNA段によって生成される非線形生成物よりも大きい非線形生成物を前記補助LNA段において生成するように、非線形領域において前記補助LNA段をバイアスするステップをさらに備える、請求項10に記載の方法。
【請求項１２】
前記補助LNA段をキャリアアグリゲーション受信モードにおいて有効化するステップをさらに備える、請求項11に記載の方法。
【請求項１３】
前記補助LNA段の利得と前記主LNA段の利得とを、2次周波数において同等にするステップをさらに備える、請求項11に記載の方法。
【請求項１４】
シングルエンド通信信号を増幅するための手段と、
第1の増幅器手段によって生成される非線形2次生成物を第2の増幅器手段によって生成される非線形2次生成物を使用して消去するための手段と、
前記シングルエンド通信信号を差動信号に変換するための手段と
を備えるデバイス。
【請求項１５】
前記第1の増幅器手段によって生成される非線形生成物よりも大きい非線形生成物を前記第2の増幅器手段において生成するように、非線形領域において前記第2の増幅器手段をバイアスするための手段をさらに備える、請求項14に記載のデバイス。
【請求項１６】
前記第2の増幅器手段をキャリアアグリゲーション受信モードにおいて有効化するための手段をさらに備える、請求項15に記載のデバイス。
【請求項１７】
前記第2の増幅器手段の利得と前記第1の増幅器手段の利得とを、2次周波数において同等にするための手段をさらに備える、請求項15に記載のデバイス。
【請求項１８】
同等にするための前記手段は、前記第2の増幅器手段の利得を減衰させるための手段を備える、請求項17に記載のデバイス。
【発明の詳細な説明】
【技術分野】
【０００１】
本開示は、一般に、電子装置に関し、より詳細には、トランスミッタおよびレシーバに関する。
【背景技術】
【０００２】
無線周波数(RF)トランシーバでは、通信信号は通常、受信チェーンと時々呼ばれる受信回路によって受信されダウンコンバートされる。受信チェーンは通常、通信信号の中に含まれる情報を復元するために、受信フィルタ、低雑音増幅器(LNA)、ミキサ、局部発振器(LO)、電圧制御発振器(VCO)、ベースバンドフィルタ、および他の構成要素を含む。トランシーバはまた、別のトランシーバの中のレシーバへの通信信号の伝送を可能にする回路を含む。トランシーバは、通常は周波数バンドを指す複数の周波数範囲にわたって動作することができる場合がある。その上、単一のトランシーバは、同じ周波数バンドの中に存在してもよいが実際の周波数において重ならない場合がある複数のキャリア信号、不連続キャリアと呼ばれる配置を使用して動作するように構成されてもよい。
【発明の概要】
【発明が解決しようとする課題】
【０００３】
いくつかの事例では、複数の送信周波数および/または複数の受信周波数を使用して動作するように構成される単一のトランスミッタまたはレシーバを有することが望ましい。レシーバが2つ以上の受信信号を同時に受信可能であるために、2つ以上の受信パスの同時動作が必要である。そのようなシステムは、「キャリアアグリゲーション」システムと時々呼ばれる。「キャリアアグリゲーション」という用語は、バンド間キャリアアグリゲーションおよびバンド内キャリアアグリゲーションを含むシステムを指す場合がある。バンド内キャリアアグリゲーションは、同じ通信バンドの中に存在する2つの別個の不連続なキャリア信号の処理を指す。現在、これらの不連続キャリアが互いに近い場合があっても、通常、各キャリアを処理するために別個の受信チェーンが必要である。そのようなキャリアアグリゲーションレシーバを実装するとき、あるキャリアからの電力が別のキャリアのダウンコンバージョンに干渉する場合があり(相互変調ひずみと呼ばれ、2次関数として発生するときはIM2と呼ばれるものを引き起こす)、そのことが「レシーバ感度抑圧(receiver desensitization)」または「レシーバデセンス」とも呼ばれる状態である、レシーバの感度を抑圧することにつながるおそれがある。レシーバ感度抑圧は、低雑音増幅器(LNA)の動作によって引き起こされる2次ひずみの存在に起因して発生する場合がある。2次インターセプトポイント(IIP2)は、非線形のシステムおよびデバイス、この例では、LNAによって生成される2次ひずみを定量化する、線形性の測定値を指す。
【０００４】
低い電力レベルにおいて、LNAの基本的な出力電力は入力電力に対して1対1の比(dBに換算して)で増加するが、2次出力電力は2対1の比で増加する。LNAが飽和に達するほど入力電力が十分大きい場合、出力電力は1次および2次のケースの両方において横ばいになる。
【０００５】
実際の電力レベルが通常ははるかに小さい電力レベルにおける飽和に起因して横ばいになるので、2次インターセプトポイント(IIP2)は、外挿された1次および2次の線がグラフ上で交わる出力電力点である。
【０００６】
2次非線形性によって引き起こされるレシーバ感度抑圧、詳細には、LNAによって引き起こされるレシーバ感度抑圧を低減することが望ましい。
【０００７】
図の中では、別段に示されない限り、様々な図の全体を通して、同様の参照番号は同様の部分を指す。"102a"または"102b"などの文字指定を伴う参照番号の場合、文字指定は、同じ図に存在する2つの同様の部分または要素を区別する場合がある。参照番号の文字指定は、参照番号が、すべての図において同じ参照番号を有するすべての部分を包含することが意図される場合には、省略される場合がある。
【図面の簡単な説明】
【０００８】
【図１】ワイヤレス通信システムと通信するワイヤレスデバイスを示す図である。
【図２Ａ】連続バンド内キャリアアグリゲーション(CA)の一例を示すグラフ図である。
【図２Ｂ】不連続バンド内CAの一例を示すグラフ図である。
【図２Ｃ】同じバンドグループの中のバンド間CAの一例を示すグラフ図である。
【図２Ｄ】異なるバンドグループの中のバンド間CAの一例を示すグラフ図である。
【図３】本開示の例示的な技法が実施されてもよいワイヤレスデバイスのブロック図である。
【図４】LNAにおける非線形2次ひずみ生成物を消去するために使用することができる低雑音増幅器(LNA)を有する回路の例示的な実施形態を示す概略図である。
【図５】LNAにおける非線形2次ひずみ生成物を消去するために使用することができる低雑音増幅器(LNA)を有する回路の別の例示的な実施形態を示す概略図である。
【図６】LNAにおける非線形2次ひずみ生成物を消去するために使用することができる低雑音増幅器(LNA)を有する回路の例示的な代替実施形態を示す概略図である。
【図７】LNAにおける非線形2次ひずみ生成物を消去するために使用することができる低雑音増幅器(LNA)を有する回路の例示的な実施形態の動作を記述するフローチャートである。
【発明を実施するための形態】
【０００９】
「例示的」という言葉は、「例、事例、または例示として役立つ」ことを意味するように本明細書において使用される。「例示的」として本明細書に記載されるいずれの態様も、必ずしも他の態様よりも好ましいか、または有利であると解釈されるとは限らない。
【００１０】
本明細書では、「アプリケーション」という用語は、オブジェクトコード、スクリプト、バイトコード、マークアップ言語ファイル、およびパッチなどの、実行可能なコンテンツを有するファイルを含む場合もある。加えて、本明細書において参照される「アプリケーション」は、開くことが必要な場合があるドキュメント、またはアクセスされる必要がある他のデータファイルなどの、本質的に実行可能ではないファイルを含む場合もある。
【００１１】
「コンテンツ」という用語は、オブジェクトコード、スクリプト、バイトコード、マークアップ言語ファイル、およびパッチなどの、実行可能なコンテンツを有するファイルを含む場合もある。加えて、本明細書において参照される「コンテンツ」は、また、開くことが必要な場合があるドキュメント、またはアクセスされる必要がある他のデータファイルなどの、本質的に実行可能でないファイルを含む場合もある。
【００１２】
本開示の例示的な実施形態は、低雑音増幅器(LNA)の非線形2次ひずみ生成物を消去するために補助経路を使用するひずみ消去方式を対象とし、受信信号を増幅するためにLNAを使用する任意のレシーバシステムに適用することができる。例示的な一実施形態では、補助LNA段および主LNA段は、負荷回路として動作する中央タップ付き変圧器に出力を提供する。例示的な一実施形態では、補助LNA段は、主LNA段によって生成される非線形生成物を消去する非線形生成物を生成する。例示的な一実施形態では、負荷回路はまた、補助LNA段によって生成される非線形生成物が、主LNA段によって生成される非線形生成物のレベルに整合することができるように、補助LNA段出力と分岐して接続される減衰器として動作する調整可能な抵抗を有する。別の例示的な実施形態では、負荷回路の1次側は、補助LNA段によって生成される非線形生成物が主LNA段によって生成される非線形生成物のレベルに減衰器を用いることなく整合することができるように、非中央タップ付き構成で設けられる。例示的な一実施形態では、補助LNA段は、たとえば、キャリアアグリゲーション通信方法において、IM2消去が望まれるときのみ動作可能となるように制御される。
【００１３】
図1は、ワイヤレス通信システム120と通信するワイヤレスデバイス110を示す図である。ワイヤレス通信システム120は、ロングタームエボリューション(LTE)システム、符号分割多元接続(CDMA)システム、モバイル通信用グローバルシステム(GSM(登録商標))システム、ワイヤレスローカルエリアネットワーク(WLAN)システム、またはいくつかの他のワイヤレスシステムであってもよい。CDMAシステムは、広帯域CDMA(WCDMA(登録商標))、CDMA 1X、エボリューションデータオプティマイズド(EVDO)、時分割同期CDMA(TD-SCDMA)、またはCDMAのいくつかの他のバージョンを実装してもよい。簡単のために、図1は、2つの基地局130および132ならびに1つのシステムコントローラ140を含むワイヤレス通信システム120を示す。一般に、ワイヤレス通信システムは、任意の数の基地局および任意の数のネットワークエンティティを含んでもよい。
【００１４】
ワイヤレスデバイス110は、ユーザ機器(UE)、モバイルステーション、端末、アクセス端末、加入者ユニット、ステーションなどと呼ばれる場合もある。ワイヤレスデバイス110は、セルラーフォン、スマートフォン、タブレット、ワイヤレスモデム、携帯情報端末(PDA)、ハンドヘルドデバイス、ラップトップコンピュータ、スマートブック、ネットブック、タブレット、コードレスフォン、ワイヤレスローカルループ(WLL)ステーション、Bluetooth(登録商標)デバイスなどであってもよい。ワイヤレスデバイス110は、ワイヤレス通信システム120と通信してもよい。ワイヤレスデバイス110はまた、放送局(たとえば、放送局134)からの信号、1つまたは複数の全地球航法衛星システム(GNSS)における衛星(たとえば、衛星150)からの信号などを受信してもよい。ワイヤレスデバイス110は、LTE、WCDMA、CDMA 1X、EVDO、TD-SCDMA、GSM、802.11などのワイヤレス通信用の、1つまたは複数の無線技術をサポートしてもよい。
【００１５】
ワイヤレスデバイス110は、複数のキャリア上での動作であるキャリアアグリゲーションをサポートしてもよい。キャリアアグリゲーションは、マルチキャリア動作と呼ばれる場合もある。ワイヤレスデバイス110は、1000メガヘルツ(MHz)よりも低い周波数を包含する低バンド(LB)、1000MHzから2300MHzまでの周波数を包含する中バンド(MB)、および/または2300MHzよりも高い周波数を包含する高バンド(HB)において動作することができる場合がある。たとえば、低バンドは698〜960MHzを包含してもよく、中バンドは1475〜2170MHzを包含してもよく、高バンドは2300〜2690MHzおよび3400〜3800MHzを包含してもよい。低バンド、中バンド、および高バンドは、バンドの3つのグループ(すなわち、バンドグループ)を指し、各バンドグループは、いくつかの周波数バンド(または、単に「バンド」)を含む。各バンドは、最高200MHzを包含してもよく、1つまたは複数のキャリアを含んでもよい。各キャリアは、LTEにおいて最高20MHzを包含してもよい。LTEリリース11は、LTE/UMTSバンドと呼ばれ3GPP TS36.101において記載される35バンドをサポートする。ワイヤレスデバイス110は、LTEリリース11において、1つまたは2つのバンドの中の最高5つのキャリアを用いて構成されてもよい。
【００１６】
一般に、キャリアアグリゲーション(CA)は、2つのタイプ、すなわち、バンド内CAおよびバンド間CAに分類されてもよい。バンド内CAは、同じバンド内の複数のキャリア上での動作を指す。バンド間CAは、異なるバンドの中の複数のキャリア上での動作を指す。
【００１７】
図2Aは、連続バンド内キャリアアグリゲーション(CA)の一例を示すグラフ図である。図2Aに示す例では、ワイヤレスデバイス110は、低バンドにおける1つのバンドの中の4つの連続するキャリアを用いて構成される。ワイヤレスデバイス110は、同じバンド内の4つの連続するキャリア上の伝送を、送信および/または受信してもよい。
【００１８】
図2Bは、不連続バンド内CAの一例を示すグラフ図である。図2Bに示す例では、ワイヤレスデバイス110は、低バンドにおける1つのバンドの中の4つの不連続なキャリアを用いて構成される。キャリアは、5MHz、10MHz、またはいくつかの他の量だけ分離されてもよい。ワイヤレスデバイス110は、同じバンド内の4つの不連続なキャリア上の伝送を、送信および/または受信してもよい。
【００１９】
図2Cは、同じバンドグループの中のバンド間CAの一例を示すグラフ図である。図2Cに示す例では、ワイヤレスデバイス110は、低バンドにおける2つのバンドの中の4つのキャリアを用いて構成される。ワイヤレスデバイス110は、同じバンドグループにおける異なるバンドの中の4つのキャリア上の伝送を、送信および/または受信してもよい。
【００２０】
図2Dは、異なるバンドグループの中のバンド間CAの一例を示すグラフ図である。図2Dに示す例では、ワイヤレスデバイス110は、低バンドにおける1つのバンドの中の2つのキャリアと中バンドにおける別のバンドの中の2つのキャリアとを含む、異なるバンドグループにおける2つのバンドの中の4つのキャリアを用いて構成される。ワイヤレスデバイス110は、異なるバンドグループにおける異なるバンドの中の4つのキャリア上の伝送を、送信および/または受信してもよい。
【００２１】
図2A〜図2Dは、キャリアアグリゲーションの4つの例を示す。キャリアアグリゲーションはまた、バンドおよびバンドグループの他の組合せに対してサポートされてもよい。
【００２２】
図3は、本開示の例示的な技法が実施されてもよいワイヤレスデバイス300を示すブロック図である。図3は、トランシーバ320の一例を示す。一般に、トランスミッタ330およびレシーバ350の中で信号を調整することは、増幅器、フィルタ、アップコンバータ、ダウンコンバータなどの1つまたは複数の段によって実行されてもよい。これらの回路ブロックは、図3に示す構成と異なって配置されてもよい。さらに、図3に示さない他の回路ブロックも、トランスミッタ330およびレシーバ350の中で信号を調整するために使用されてもよい。別段に記載されていない限り、図3または各図面の中の他の図におけるいかなる信号も、シングルエンドまたは差動のいずれかであってもよい。図3におけるいくつかの回路ブロックはまた、省略されてもよい。
【００２３】
図3に示す例では、ワイヤレスデバイス300は、一般に、トランシーバ320およびデータプロセッサ310を備える。データプロセッサ310は、データおよびプログラムコードを記憶するためのメモリ(図示せず)を含んでもよく、一般に、アナログおよびデジタルの処理要素を備えてもよい。トランシーバ320は、双方向通信をサポートするトランスミッタ330およびレシーバ350を含む。一般に、ワイヤレスデバイス300は、任意の数の通信システム向けおよび周波数バンド向けに、任意の数のトランスミッタおよび/またはレシーバを含んでもよい。トランシーバ320の全部または一部分は、1つまたは複数のアナログの集積回路(IC)、RFのIC(RFIC)、混合信号ICなどの上に実装されてもよい。
【００２４】
トランスミッタまたはレシーバは、スーパーヘテロダインアーキテクチャまたはダイレクトコンバージョンアーキテクチャを用いて実装されてもよい。スーパーヘテロダインアーキテクチャでは、信号は、たとえば、レシーバの場合、ある段ではRFから中間周波数(IF)へ、そして、別の段ではIFからベースバンドへ、無線周波数(RF)とベースバンドとの間で複数の段において周波数変換される。ダイレクトコンバージョンアーキテクチャでは、信号は、RFとベースバンドとの間で1つの段において周波数変換される。スーパーヘテロダインアーキテクチャおよびダイレクトコンバージョンアーキテクチャは、異なる回路ブロックを使用してもよく、および/または異なる要件を有してもよい。図3に示す例では、トランスミッタ330およびレシーバ350は、ダイレクトコンバージョンアーキテクチャを用いて実装されている。
【００２５】
送信パスでは、データプロセッサ310は、送信されるべきデータを処理し、同位相(I)および直交位相(Q)のアナログ出力信号をトランスミッタ330に供給する。例示的な一実施形態では、データプロセッサ310は、データプロセッサ310によって生成されたデジタル信号を、さらなる処理のために、IおよびQのアナログ出力信号、たとえば、IおよびQの出力電流に変換するためのデジタルアナログ変換器(DAC)314aおよび314bを含む。
【００２６】
トランスミッタ330内では、ローパスフィルタ332aおよび332bが、それぞれ、IおよびQのアナログ送信信号をフィルタ処理して、前のデジタルアナログ変換によって引き起こされた不要なイメージを除去する。増幅器(Amp)334aおよび334bは、それぞれ、ローパスフィルタ332aおよび332bからの信号を増幅し、IおよびQのベースバンド信号を提供する。アップコンバータ340は、IおよびQのベースバンド信号を、TX LO信号発生器390からのIおよびQの送信(TX)局部発振器(LO)信号を用いてアップコンバートし、アップコンバートされた信号を提供する。フィルタ342は、アップコンバートされた信号をフィルタ処理して、周波数アップコンバージョンによって引き起こされた不要なイメージ、ならびに受信周波数バンドの中の雑音を除去する。電力増幅器(PA)344は、フィルタ342からの信号を増幅して所望の出力電力レベルを取得し、送信RF信号を提供する。送信RF信号は、デュプレクサまたはスイッチ346を通じてルーティングされ、アンテナ348を介して送信される。
【００２７】
受信パスでは、アンテナ348は、通信信号を受信して受信されたRF信号を提供し、受信されたRF信号は、デュプレクサまたはスイッチ346を通じてルーティングされ低雑音増幅器(LNA)352に供給される。デュプレクサ346は、RX信号がTX信号から区別されるような、固有のRX対TXデュプレクサ周波数分離を伴って動作するように設計される。受信されたRF信号は、LNA352によって増幅され、フィルタ354によってフィルタ処理されて、所望のRF入力信号を取得する。ダウンコンバージョンミキサ361aおよび361bは、フィルタ354の出力を、RX LO信号発生器380からのIおよびQの受信(RX)LO信号(すなわち、LO_IおよびLO_Q)と混合して、IおよびQのベースバンド信号を生成する。IおよびQのベースバンド信号は、増幅器362aおよび362bによって増幅され、ローパスフィルタ364aおよび364bによってさらにフィルタ処理されて、IおよびQのアナログの入力信号を取得し、IおよびQのアナログの入力信号はデータプロセッサ310に供給される。図示の例示的な実施形態では、データプロセッサ310は、アナログ入力信号を、データプロセッサ310によってさらに処理されるべきデジタル信号に変換するためのアナログデジタル変換器(ADC)316aおよび316bを含む。
【００２８】
図3では、TX LO信号発生器390が、周波数アップコンバージョンのために使用されるIおよびQのTX LO信号を生成し、RX LO信号発生器380が、周波数ダウンコンバージョンのために使用されるIおよびQのRX LO信号を生成する。各LO信号は、特定の基本周波数を有する周期信号である。位相ロックループ(PLL)392は、タイミング情報をデータプロセッサ310から受け取り、LO信号発生器390からのTX LO信号の周波数および/または位相を調節するために使用される制御信号を生成する。同様に、PLL382は、タイミング情報をデータプロセッサ310から受け取り、LO信号発生器380からのRX LO信号の周波数および/または位相を調節するために使用される制御信号を生成する。
【００２９】
ワイヤレスデバイス300は、CAをサポートしてもよく、(i)異なる周波数における複数のダウンリンクキャリア上で1つまたは複数のセルによって送信される複数のダウンリンク信号を受信してもよく、および/または(ii)複数のアップリンクキャリア上で1つまたは複数のセルへの複数のアップリンク信号を送信してもよい。
【００３０】
複数の受信信号が同時に処理されるCA通信環境では、特定の受信パス上の受信信号が異なる受信パス上の受信信号に結合する場合があり、異なる受信パス上の受信信号に対して動作しているレシーバの感度を損なう場合があることが起こり得る。
【００３１】
本開示の例示的な一実施形態では、本明細書において非線形2次生成物とも呼ばれる、LNAによって生成される非線形の2次相互変調(IM2)生成物は、ある受信パスから別の受信パスへの、または結合された他の干渉信号から対象の受信パスへの、受信エネルギーの前述の望ましくない結合によって引き起こされたNFの劣化を軽減するように実質的に消去される。LNAによって生成される非線形の2次相互変調(IM2)生成物を低減することは、レシーバの2次インターセプトポイント(IIP2)性能を改善し、したがって、レシーバを、別の受信パスからの、または一般に干渉信号からの干渉を受けにくくする。
【００３２】
図4は、LNA401における非線形2次生成物を消去するために使用することができる低雑音増幅器(LNA)401を有する回路400の例示的な実施形態を示す概略図である。シングルエンドの無線周波数(RF)入力信号が、外部インダクタンス402を通じて主LNA段410に供給される。主LNA段410は、トランジスタ412およびトランジスタ414を備える。例示的な一実施形態では、トランジスタ412はゲイントランジスタとして動作し、トランジスタ414はカスコードトランジスタとして動作する。トランジスタ412は、抵抗405を通じてそのゲートに印加される、接続部406上の信号vb1によってバイアスされる。接続部403上のシングルエンドRF入力信号は、トランジスタ412のゲートに供給される。トランジスタ412のソースは、ソース縮退(degeneration)インダクタンス404に接続される。トランジスタ412のドレインは、トランジスタ414のソースに結合される。主LNA段410の出力は、トランジスタ414のドレインから負荷回路430へ接続部415を介して供給される。接続部415の中を流れる電流は、“Isig_main”と呼ぶことができる。負荷回路430は誘導性回路であり、本明細書においてバラン(balun)とも呼ばれ、シングルエンドから差動への変換を実行する。負荷回路430は一般に、1次側432および2次側434を備える。シングルエンドRF通信信号は、負荷回路430の1次側432に供給される。負荷回路430の出力は、ダウンコンバージョンおよびさらなる処理のために差動RF信号としての2次側434からミキサ443に供給される。
【００３３】
例示的な一実施形態では、負荷回路430の1次側432は、1次側432を第1のまたは主部分436と、第2のまたは補助部分437とに分割するシステム電圧VDDにおいて、中央タップ435を含む。主部分436は、主LNA段410の出力を接続部415を介しキャパシタンス439を通じて受ける。
【００３４】
回路400はまた、補助LNA段420を備える。補助LNA段420は、トランジスタ422およびトランジスタ424を備える。例示的な一実施形態では、トランジスタ422はゲイントランジスタとして動作し、トランジスタ424はカスコードトランジスタとして動作する。トランジスタ422は、抵抗器423を通じてそのゲートに印加される、接続部427上の信号vb2によって制御およびバイアスされる。トランジスタ422のゲートは、トランジスタ412のドレインにキャパシタンス426を通じて接続される。トランジスタ422のドレインは、トランジスタ424のソースに結合される。補助LNA段420の出力は、トランジスタ424のドレインから負荷回路430の補助部分437に接続部425を介しキャパシタンス441を通じて供給される。接続部425の中を流れる電流は、“Isig_aux”と呼ぶことができる。例示的な一実施形態では、調整可能な抵抗を使用して実装することができる減衰器438が、負荷回路430の補助部分437と中央タップ435との間に結合される。
【００３５】
補助LNA段420の中での電流消費量を最小限に抑えるために、接続部425上の電流Isig_auxが接続部415上の電流Isig_mainよりも小さくなるように、トランジスタ422および424の物理的サイズは、それぞれ、トランジスタ412および414の物理的サイズよりも概して小さく、その結果、補助LNA段420によって生成される信号は主LNA段410によって生成される信号よりも小さい。動作において、たとえトランジスタ422および424がそれぞれトランジスタ412および414よりも小さくても、主LNA段410によって生成される非線形2次生成物よりも大きく、またそれを消去することができる、補助LNA段420によって生成される非線形2次生成物を生成することができるように、トランジスタ422は、概して非線形領域においてバイアスされる。このようにして、補助LNA段420の動作は、トランジスタ412によって生成される非線形2次生成物(および、すべての偶数次生成物)を、概して消去する。補助LNA段420によって生成される非線形2次生成物は、主LNA段410によって生成される非線形2次生成物よりも大きく、したがって、減衰器438を調節することにより、補助LNA段420によって生じる非線形2次生成物が主LNA段410によって生じる非線形2次生成物のレベルに整合することが可能となり、その結果、主LNA段410によって生じる非線形2次生成物は、補助LNA段420によって生じる非線形2次生成物によって消去される。減衰器438は、たとえば、デジタル制御信号(図示せず)によって制御される切替え可能な抵抗器バンクとして実装することができ、または、2次生成物と関連した周波数において補助LNA段420の利得を主LNA段410の利得に整合もしくは同等にさせるための他の方法で実装することができる。言い換えれば、減衰器438は、これらの生成物が相殺するように、補助LNA段420の非線形2次生成物の利得が主LNA段410の非線形2次生成物の利得に整合することを確実にするために使用される。
【００３６】
電流Isig_mainは、以下によって与えられる。
Isig_main = g1・Vs + g2・Vs2 + g3・Vs3           (式1)
【００３７】
電流Isig_auxは、以下によって与えられる。
Isig_aux = K・g1'・(-Vs) + K・g2'・Vs2 + K・g3'・(-Vs)3     (式2)
Isig_main-Isig_aux = (g1+Kg1')・Vs + (g2-Kg2')・Vs2+(g3+Kg3')・Vs3     (式3)
【００３８】
“g1”および“g1'”という項は、それぞれ、トランジスタ412および422の「実効」相互コンダクタンスを指す。-Kという項は、トランジスタ412のドレインにおけるVsの利得を指す。(g2-Kg2')・Vs2という項は、2次生成物を最大にすることができる点、すなわち、“g2'”が最大にされる点においてトランジスタ422をバイアスすることによって消去することができる。“g2'”という項は、“g1'”という項のトランジスタ422のゲート-ソース電圧(Vgs)に関する1次微分を指す。
【００３９】
補助LNA段420の例示的な実施形態は、既存のLNAアーキテクチャの中に容易に組み込むことができ、たとえば、2次非線形性消去が必要であるかどうかを含むいくつかのファクタに応じて、接続部427を介した制御信号を用いて動的に有効化および無効化することができる。たとえば、2次消去によって利益を得ることができるキャリアアグリゲーションが存在しているときのみ、補助LNA段420を活性化することができる。
【００４０】
図5は、LNA401における非線形2次ひずみ生成物を消去するために使用することができる低雑音増幅器(LNA)401を有する回路500の別の例示的な実施形態を示す概略図である。図5に示す例示的な実施形態は、ソースフォロワバッファ550、フィードバック抵抗(Rf)552、およびインダクタンス551を含む。回路500は、入力整合ネットワークを使用する代わりに、所望の50オーム整合を実現するためにフィードバック抵抗552を通じた抵抗性フィードバックを使用する。入力整合回路の代わりに抵抗性フィードバックを使用することは、接続部415上のトランジスタ414の出力と接続部403上のトランジスタ412への入力との間の望ましくないローディングにつながる場合がある。ソースフォロワバッファ550は、接続部415上のトランジスタ414の出力と接続部403上のトランジスタ412への入力との間のこの望ましくないローディングを低減するために使用される。
【００４１】
図6は、LNA601における非線形2次ひずみ生成物を消去するために使用することができる低雑音増幅器(LNA)601を有する回路600の例示的な代替実施形態を示す概略図である。シングルエンド無線周波数(RF)入力信号が、外部インダクタンス602を通じて主LNA段610に供給される。主LNA段610は、トランジスタ612およびトランジスタ614を備える。例示的な一実施形態では、トランジスタ612はゲイントランジスタとして動作し、トランジスタ614はカスコードトランジスタとして動作する。トランジスタ612は、抵抗605を通じてそのゲートに印加される、接続部606上の信号vb1によってバイアスされる。接続部603上のシングルエンドのRF入力信号は、トランジスタ612のゲートに供給される。トランジスタ612のソースは、ソース縮退インダクタンス604に接続される。トランジスタ612のドレインは、トランジスタ614のソースに結合される。主LNA段610の出力は、トランジスタ614のドレインから負荷回路630へ、接続部615を介しキャパシタンス639を通じて供給される。接続部615の中を流れる電流は、“Isig_main”と呼ぶことができる。負荷回路630は誘導性回路であり、本明細書においてバランと呼ぶこともでき、シングルエンドから差動への変換を実行する。負荷回路630は一般に、1次側632および2次側634を備える。シングルエンドのRF通信信号は、負荷回路630の1次側632に供給される。負荷回路630の出力は、ダウンコンバージョンおよびさらなる処理のために差動RF信号としての2次側634からミキサ643に供給される。
【００４２】
回路600はまた、補助LNA段620を備える。補助LNA段620は、トランジスタ622およびトランジスタ624を備える。例示的な一実施形態では、トランジスタ622はゲイントランジスタとして動作し、トランジスタ624はカスコードトランジスタとして動作する。トランジスタ622は、抵抗器623を通じてそのゲートに印加される、接続部627上の信号vb2によって制御およびバイアスされる。トランジスタ622のゲートは、トランジスタ612のドレインにキャパシタンス626を通じて接続される。トランジスタ622のドレインは、トランジスタ624のソースに結合される。補助LNA段620の出力は、トランジスタ624のドレインから負荷回路630へ接続部625を介しキャパシタンス641を通じて供給される。接続部625の中を流れる電流は、“Isig_aux”と呼ぶことができる。
【００４３】
例示的な一実施形態では、負荷回路630の1次側632は、1次側632を第1のまたは主部分636と、第2のまたは補助部分637とに分割するシステム電圧VDDにおいて、非中央タップ635を含む。主部分636は、主LNA段610の出力を接続部615を介しキャパシタンス639を通じて受ける。補助部分637は、補助LNA段620の出力を接続部625を介しキャパシタンス641を通じて受ける。この例示的な実施形態では、非中央タップ635は、主インダクタンス部分652のインダクタンスと異なるインダクタンスを有する補助インダクタンス部分651を確立する。
【００４４】
補助LNA段620の中での電流消費量を最小限に抑えるために、接続部625上の電流Isig_auxが接続部615上の電流Isig_mainよりも小さくなるように、トランジスタ622および624の物理的サイズは、それぞれ、トランジスタ612および614の物理的サイズよりも概して小さく、その結果、補助LNA段620によって生成される信号は主LNA段610によって生成される信号よりも小さい。動作において、たとえトランジスタ622および624がそれぞれトランジスタ612および614よりも小さくても、主LNA段610によって生成される非線形2次生成物よりも大きく、またそれを消去することができる、補助LNA段620によって生成される非線形2次生成物を生成することができるように、トランジスタ622は、概して非線形領域においてバイアスされる。このようにして、補助LNA段620の動作は、トランジスタ612によって生成されるいかなる非線形2次生成物(および、すべての偶数次生成物)も、概して消去する。補助LNA段620によって生成される非線形2次生成物は、主LNA段610によって生成される非線形2次生成物よりも大きく、したがって、非中央タップ635の位置を決定することによって主インダクタンス部分652のインダクタンスに対する補助インダクタンス部分651のインダクタンスを調節することは、補助LNA段620によって生じる非線形2次生成物を主LNA段610によって生じる非線形2次生成物のレベルに整合させ、その結果、主LNA段610によって生じる非線形2次生成物は、補助LNA段620によって生じる非線形2次生成物によって消去される。
【００４５】
補助インダクタンス部分651のインダクタンスおよび主インダクタンス部分652のインダクタンスは、非線形2次生成物と関連した周波数において補助LNA段620の利得を主LNA段610の利得に整合させるように選択される。言い換えれば、補助インダクタンス部分651のインダクタンスおよび主インダクタンス部分652のインダクタンスは、これらの生成物が2次周波数において相殺するように、補助LNA段620の2次生成物の利得が主LNA段610の2次生成物の利得に整合することを確実にするように選択される。
【００４６】
非中央タップ付き負荷回路630は、負荷回路630の1次側632の補助部分651のインダクタンスが負荷回路630の1次側632の主部分652のインダクタンスと異なるようにタップ635を位置決めすることによって、主LNA段610の利得に対する補助LNA段620の利得を調節するために実装することができる。たとえば、補助部分651のインダクタンスが主部分652のインダクタンスよりも小さい場合、補助LNA段620の利得は、主LNA段610の利得よりも小さいであろう。このようにして、タップ635の位置を選択することは、補助LNA段620に与えられるインダクタンスと、主LNA段610に与えられるインダクタンスとを制御することができる。
【００４７】
例示的な一実施形態では、負荷回路630の1次側632の補助部分651によってもたらされる低いインダクタンスは、これらの非線形2次生成物が相殺するように、非線形2次生成物が生成される周波数において補助LNA段620の利得と主LNA段610の利得とを同等にする。
【００４８】
補助LNA段620の例示的な実施形態は、既存のLNAアーキテクチャの中に容易に組み込むことができる。ひずみ消去技法の例示的な実施形態は、たとえば、2次非線形性の消去が必要であるかどうかを含むいくつかのファクタに応じて、接続部627を介した制御信号を用いて動的に有効化および無効化することができる。たとえば、2次消去によって利益を得ることができるキャリアアグリゲーションが存在しているときのみ、補助LNA段620を活性化することができる。
【００４９】
図7は、LNAにおける2次ひずみ生成物を消去するために使用することができる低雑音増幅器(LNA)を有する回路の例示的な実施形態の動作を記述するフローチャート700である。フローチャート700におけるブロックは、示された順序どおりに、または示された順序をはずれて実行することができ、いくつかの実施形態では、少なくとも部分的には並行して実行することができる。
【００５０】
ブロック702では、シングルエンド通信信号が、主LNA段および補助LNA段を有する主低雑音増幅器(LNA)において増幅される。ブロック704では、非線形2次生成物が補助LNA段によって生成される。
【００５１】
ブロック706では、補助LNA段によって生成される非線形2次生成物が、主LNA段によって生成される非線形2次生成物を消去する。ブロック708では、負荷回路が、シングルエンド通信信号を差動信号出力に変換する。
【００５２】
本明細書で説明されるLNA回路は、1つまたは複数のIC、アナログIC、RFIC、混合信号IC、ASIC、プリント回路基板(PCB)、電子デバイスなどの上に実装されてもよい。LNA回路はまた、相補型金属酸化物半導体(CMOS)、nチャネルMOS(NMOS)、pチャネルMOS(PMOS)、バイポーラ接合トランジスタ(BJT)、バイポーラCMOS(BiCMOS)、シリコンゲルマニウム(SiGe)、ガリウムヒ素(GaAs)、ヘテロ接合バイポーラトランジスタ(HBT)、高電子移動度トランジスタ(HEMT)、シリコンオンインシュレータ(SOI)などの、様々なICプロセス技術を用いて製作されてもよい。
【００５３】
本明細書で説明されるLNA回路を実装する装置は、スタンドアロンのデバイスであってもよく、またはより大きいデバイスの一部であってもよい。デバイスは、(i)スタンドアロンのIC、(ii)データおよび/または命令を記憶するためのメモリICを含んでもよい1つまたは複数のICのセット、(iii)RFレシーバ(RFR)またはRFトランスミッタ/レシーバ(RTR)などのRFIC、(iv)移動局モデム(MSM)などのASIC、(v)他のデバイス内に組み込まれてもよいモジュール、(vi)レシーバ、セルラーフォン、ワイヤレスデバイス、ハンドセット、またはモバイルユニット、(vii)その他であってもよい。
【００５４】
1つまたは複数の例示的な設計では、説明される機能は、ハードウェア、ソフトウェア、ファームウェア、またはそれらの任意の組合せで実装されてもよい。ソフトウェアで実装される場合、機能は、1つまたは複数の命令またはコードとして、コンピュータ可読媒体上に記憶されるか、またはコンピュータ可読媒体を介して送信されてもよい。コンピュータ可読媒体は、コンピュータ記憶媒体と、コンピュータプログラムの1つの場所から別の場所への転送を容易にする任意の媒体を含む通信媒体との両方を含む。記憶媒体は、コンピュータによってアクセスすることができる任意の利用可能な媒体であってもよい。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または命令もしくはデータ構造の形態の所望のプログラムコードを搬送もしくは記憶するために使用することができ、コンピュータによってアクセスすることができる他の任意の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。ディスク(disk)およびディスク(disc)は、本明細書において使用されるときに、コンパクトディスク(disc)(CD)、レーザディスク(disc)、光ディスク(disc)、デジタル多用途ディスク(disc)(DVD)、フロッピーディスク(disk)およびブルーレイディスク(disc)を含み、ディスク(disk)は通常、データを磁気的に再生し、一方、ディスク(disc)は、レーザを用いてデータを光学的に再生する。上記のものの組合せも、コンピュータ可読媒体の範囲内に含まれるべきである。
【００５５】
本明細書で使用される場合、「コンポーネント」、「データベース」、「モジュール」、「システム」などの用語は、ハードウェア、ファームウェア、ハードウェアとソフトウェアの組合せ、ソフトウェア、または実行中のソフトウェアのいずれかである、コンピュータ関連のエンティティを指すものとする。たとえば、コンポーネントは、限定はされないが、プロセッサ上で実行されているプロセス、プロセッサ、オブジェクト、実行可能ファイル、実行のスレッド、プログラム、および/またはコンピュータであってもよい。例示として、コンピューティングデバイス上で実行されているアプリケーションと、コンピューティングデバイスの両方が、コンポーネントであってもよい。1つまたは複数のコンポーネントは、プロセスおよび/または実行スレッド内に存在してもよく、コンポーネントは、1つのコンピュータに局在していてもよく、および/または、2つ以上のコンピュータに分散されていてもよい。加えて、これらのコンポーネントは、様々なデータ構造を記憶した様々なコンピュータ可読媒体から実行してもよい。コンポーネントは、1つまたは複数のデータパケット(たとえば、ローカルシステム、分散システム中の別のコンポーネントと対話する、および/または、信号によってインターネットなどのネットワークにわたって他のシステムと対話する、1つのコンポーネントからのデータ)を有する信号などに従って、ローカルプロセスおよび/またはリモートプロセスによって通信してもよい。
【００５６】
選択された態様が詳細に示され説明されてきたが、以下の特許請求の範囲によって定義されるような本発明の趣旨および範囲から逸脱することなく、本明細書において様々な置換および改変を実施できることが理解されよう。
【符号の説明】
【００５７】
110  ワイヤレスデバイス
120  ワイヤレス通信システム
130  基地局
132  基地局
134  放送局
140  システムコントローラ
150  衛星
300  ワイヤレスデバイス
310  データプロセッサ
314a〜b  デジタルアナログ変換器
316a〜b  アナログデジタル変換器
320  トランシーバ
330  トランスミッタ
332a〜b  ローパスフィルタ
334a〜b  増幅器
340  アップコンバータ
342  フィルタ
344  電力増幅器
346  デュプレクサまたはスイッチ
348  アンテナ
350  レシーバ
352  低雑音増幅器
354  フィルタ
361a〜b  ダウンコンバージョンミキサ
362a〜b  増幅器
364a〜b  ローパスフィルタ
380  RX LO信号発生器
390  TX LO信号発生器
392  位相ロックループ
401  低雑音増幅器
402  外部インダクタンス
404  ソース縮退インダクタンス
410  主LNA段
412  ゲイントランジスタ
414  カスコードトランジスタ
420  補助LNA段
430  負荷回路
432  1次側
434  2次側
435  中央タップ
438  減衰器
443  ミキサ
550  ソースフォロワバッファ
552  フィードバック抵抗
601  低雑音増幅器
602  外部インダクタンス
604  ソース縮退インダクタンス
610  主LNA段
612  ゲイントランジスタ
614  カスコードトランジスタ
620  補助LNA段
630  負荷回路
632  1次側
634  2次側
635  非中央タップ
643  ミキサ
【図１】
2016540449.tif 000003
【図２Ａ】
2016540449.tif 000004
【図２Ｂ】
2016540449.tif 000005
【図２Ｃ】
2016540449.tif 000006
【図２Ｄ】
2016540449.tif 000007
【図３】
2016540449.tif 000008
【図４】
2016540449.tif 000009
【図５】
2016540449.tif 000010
【図６】
2016540449.tif 000011
【図７】
2016540449.tif 000012
【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
シングルエンド通信信号を増幅するように構成される主低雑音増幅器(LNA)段と、
前記主LNA段に結合される補助LNA段であって、前記主LNA段によって生成される非線形2次生成物を消去するように構成される補助LNA段と、
前記主LNA段の出力および前記補助LNA段の出力を受けるように構成される負荷回路であって、前記シングルエンド通信信号を差動信号に変換するように構成される負荷回路と
を備えるデバイス。
【請求項２】
前記主LNA段は、カスコードトランジスタ構成を備え、前記補助LNA段は、カスコードトランジスタ構成を備え、前記補助LNA段は、前記主LNA段の第1のトランジスタのドレインに結合されるゲートを有する第1のトランジスタを備える、請求項1に記載のデバイス。
【請求項３】
前記主LNA段の出力は、前記負荷回路の1次側の第1の部分に結合され、前記補助LNA段の出力は、前記負荷回路の前記1次側の第2の部分に結合される、請求項2に記載のデバイス。
【請求項４】
前記補助LNA段によって生成される信号が前記主LNA段によって生成される信号よりも小さくなるように、前記補助LNA段の第1のトランジスタおよび第2のトランジスタは、それぞれ、前記主LNA段の第1のトランジスタおよび第2のトランジスタよりも小さい、請求項3に記載のデバイス。
【請求項５】
前記補助LNA段は、前記補助LNA段によって生成される非線形生成物が前記主LNA段によって生成される非線形生成物よりも大きくなるように、非線形領域においてバイアスされる、請求項4に記載のデバイス。
【請求項６】
前記主LNA段の入力と出力との間に結合されるソースフォロワバッファおよびフィードバック抵抗をさらに備える、請求項5に記載のデバイス。
【請求項７】
前記補助LNA段は、キャリアアグリゲーション受信モードにおいて有効化される、請求項5に記載のデバイス。
【請求項８】
前記負荷回路および前記補助LNA段と関連した減衰器をさらに備え、前記減衰器は、前記補助LNA段の利得と前記主LNA段の利得とを、2次周波数において同等にするように構成される、請求項5に記載のデバイス。
【請求項９】
前記負荷回路の前記1次側の前記第1の部分は主インダクタンス部分を備え、前記負荷回路の前記1次側の前記第2の部分は補助インダクタンス部分を備え、前記主インダクタンス部分は前記補助インダクタンス部分のインダクタンスと異なるインダクタンスを有し、前記主インダクタンス部分と前記補助インダクタンス部分との間のインダクタンス差は、前記補助LNA段の利得と前記主LNA段の利得とを、2次周波数において同等にするように構成される、請求項5に記載のデバイス。
【請求項１０】
補助LNA段に結合される主LNA段を有する低雑音増幅器(LNA)においてシングルエンド通信信号を増幅するステップと、
前記補助LNA段において非線形2次生成物を生成するステップと、
前記主LNA段によって生成される非線形2次生成物を前記補助LNA段によって生成される前記非線形2次生成物を使用して消去するステップと、
前記シングルエンド通信信号を差動信号に、前記主LNA段の出力および前記補助LNA段の出力を受けるように構成される負荷回路を使用して変換するステップと
を備える方法。
【請求項１１】
前記主LNA段によって生成される非線形生成物よりも大きい非線形生成物を前記補助LNA段において生成するように、非線形領域において前記補助LNA段をバイアスするステップをさらに備える、請求項10に記載の方法。
【請求項１２】
前記補助LNA段をキャリアアグリゲーション受信モードにおいて有効化するステップをさらに備える、請求項11に記載の方法。
【請求項１３】
前記補助LNA段の利得と前記主LNA段の利得とを、2次周波数において同等にするステップをさらに備える、請求項11に記載の方法。
【請求項１４】
シングルエンド通信信号を増幅するための手段と、
第1の増幅器手段によって生成される非線形2次生成物を第2の増幅器手段によって生成される非線形2次生成物を使用して消去するための手段と、
前記シングルエンド通信信号を差動信号に変換するための手段と
を備えるデバイス。
【請求項１５】
前記第1の増幅器手段によって生成される非線形生成物よりも大きい非線形生成物を前記第2の増幅器手段において生成するように、非線形領域において前記第2の増幅器手段をバイアスするための手段をさらに備える、請求項14に記載のデバイス。
【請求項１６】
前記第2の増幅器手段をキャリアアグリゲーション受信モードにおいて有効化するための手段をさらに備える、請求項15に記載のデバイス。
【請求項１７】
前記第2の増幅器手段の利得と前記第1の増幅器手段の利得とを、2次周波数において同等にするための手段をさらに備える、請求項15に記載のデバイス。
【請求項１８】
同等にするための前記手段は、前記第2の増幅器手段の利得を減衰させるための手段を備える、請求項17に記載のデバイス。
【国際調査報告】
2016540449.tif 000013
2016540449.tif 000014
2016540449.tif 000015